(57)【特許請求の範囲】
【請求項１】
遊技に関する情報を表示する平面状の表示領域を含む表示部と、表示部における前後方向と直交する横方向の両側に配置される一対の照明部とを備え、各照明部は、表示領域と直交する前後方向において、表示領域よりも奥まった位置に配置される発光部であって、前後方向と直交する横方向において表示領域と並ぶ発光部と、表示領域と発光部との間に配置された壁部であって、前後方向と直交する横方向において外方に向く反射面を有する壁部と、反射面及び発光部を覆う光透過性を有するカバー体とを備え、反射面は、表示部の外縁に沿った前端と、表示領域と直交する前後方向において、表示領域よりも奥まった位置にある後端とを含み、
発光部は、光源と、光源を覆う光学部材であって、光源からの光を外方に向けて拡散させる光学部材とを備え、光学部材は、前後方向において後方側に位置する基部と前方側に位置する頂部とを有し、光学部材の頂部は、前後方向と直交する横方向から見て反射面の前端と後端との間に位置していることを特徴とする呼出装置。
【請求項２】
一対の照明部の下方それぞれに、遊技者が呼出装置を操作するための操作部を備え、一方の操作部は、照明部を点灯させるための操作部であり、他方の操作部は、表示部の表示領域における表示態様を切り替えるための操作部である請求項１に記載の呼出装置。
【請求項３】
発光部は、表示部の上下方向全長に沿って配置されている請求項１又は２に記載の呼出装置。
【請求項４】
反射面の後端は、前後方向と直交する横方向から見て光学部材の基部と並んで同一又は略同一位置にある請求項１乃至３の何れか１項に記載の呼出装置。
【請求項５】
反射面の後端は、前後方向と直交する横方向において、当該反射面の前端よりも表示領域側に位置している請求項１乃至４の何れか１項に記載の呼出装置。
【請求項６】
反射面は、前端と後端との間が表示領域側にある凹状の湾曲面である請求項１乃至５の何れか１項に記載の呼出装置。
【発明の詳細な説明】
【技術分野】
【０００１】
本発明は、遊技機に対応して配置される呼出装置に関する。
【背景技術】
【０００２】
パチンコやスロットマシン等の遊技機が設置される遊技場には、遊技中の遊技者や遊技を終了する遊技者が、遊技場のスタッフを呼ぶための呼出装置が設置されている。
【０００３】
呼出装置は、遊技者が必要に応じて操作する操作部と、操作部に対する操作によって点灯する呼出用の照明部とを備える。
【０００４】
また、近年において、呼出装置は、上記構成に加え、遊技機の種類や稼動状況等の情報を遊技者に提供する表示部や、当該呼出装置を装飾するための装飾用の照明部等を備えたものも普及しつつある。この種の呼出装置において、呼出用の照明部が装飾用の照明部と別個独立に設けられたものや、呼出用の照明部が装飾用の照明部に兼用され、操作部に対する操作があったときに、照明部における点灯の態様を変化させるようにしたものがある（例えば、特許文献１参照）。
【０００５】
呼出用の照明部及び装飾用の照明部のそれぞれは、光源と、光源を覆う光源カバーであって、光透過性を有する光源カバーとを備える。これにより、呼出用の照明部及び装飾用の照明部のそれぞれにおいて、遊技者等が光源を直視してしまうことを防止している。
【０００６】
かかる呼出装置は、遊技者が操作部に対して操作可能で且つスタッフが呼出用の照明部を視認可能な領域（例えば、遊技機の上方の領域）に設置される。
【先行技術文献】
【特許文献】
【０００７】
【特許文献１】特開２０１５−２１１７４９号公報
【発明の概要】
【発明が解決しようとする課題】
【０００８】
ところで、照明部は、表示部に隣接して配置される。そのため、照明部の点灯（発光）が表示部の表示よりも強調されることがある。
【０００９】
具体的に説明すると、呼出装置の表示部は、平面的な表示領域を有する。表示領域は、液晶パネルや有機ＥＬパネル等で構成される。この種の表示部は、遊技機に関連する情報（例えば、遊技機に関連するキャラクタや、対応する遊技機の大当たり回数、対応する遊技機の稼動率等）や遊技場の公告等を画像として表示領域に表示する際に該表示領域を発光させる。これにより、画像が表示部に明るく映し出される。
【００１０】
しかしながら、照明部は、遊技者の興味やスタッフの注目を引くために、発光パターンや発光色の種類が多く設定されたり、発光強度が高く設定されたりしている。
【００１１】
そのため、上述の如く、照明部が表示部に隣接して配置されると、照明部の発光が表示部の表示よりも強調されてしまい、表示部の存在が希釈される傾向にある。
【００１２】
そこで、本発明は、照明部における装飾効果を発揮させつつ、表示部の存在を強調することのできる呼出装置を提供することを課題とする。
【課題を解決するための手段】
【００１３】
本発明に係る呼出装置は、遊技に関する情報を表示する平面状の表示領域を含む表示部と、表示領域に隣接して設けられる照明部とを備え、照明部は、表示領域と直交する前後方向において、表示領域よりも奥まった位置に配置される発光部であって、前後方向と直交する方向において表示領域と並ぶ発光部と、表示領域と発光部との間に配置された壁部であって、前後方向と直交する方向において外方に向く反射面を有する壁部とを備え、反射面は、表示部の外縁に沿った前端と、表示領域と直交する方向において、表示領域よりも奥まった位置にある後端とを含むことを特徴とする。
【００１４】
上記構成によれば、照明部の発光部が発光すると、発光部を基点に光が広がる。すなわち、発光部からの光は前方側だけでなく前後方向と直交する方向にも進む。照明部は、表示領域と発光部との間に配置された壁部であって、前後方向と直交する方向において外方に向く反射面を有する壁部を備えるため、壁部の反射面に発光した発光部が映るとともに、該発光部からの光が反射面で反射される。これにより、壁部（反射面）は、発光部と同様に光ったように見える。
【００１５】
反射面は、表示部の外縁に沿った前端と、表示領域と直交する方向において、表示領域よりも奥まった位置にある後端とを含むため、前後方向に広がる面が発光したかのように見える。これにより、表示領域と隣接して前後方向と直交する方向に向く反射面（壁部）の存在が浮き立つ。その結果、反射面の前端（表示領域のエッジ）が明確になり、その前端と同列にある表示領域の存在も明確化される。
【００１６】
本発明の一態様として、照明部は、表示部おける前後方向と直交する横方向の両側のそれぞれに設けられてもよい。
【００１７】
上記構成によれば、前後方向と直交する横方向において、表示領域の両側の何れから見ても反射面（壁部）が浮き立って見える。その結果、反射面の前端が（表示領域の横方向にある一対のエッジ）明確になり、その前端と同列にある表示領域の存在が明確化される。
【００１８】
本発明の他態様として、発光部は、光源と、光源を覆う光学部材であって、光源からの光を外方に向けて拡散させる光学部材とを備え、光学部材は、前後方向において後方側に位置する基部と前方側に位置する頂部とを有し、光学部材の頂部は、前後方向と直交する方向から見て反射面の前端と後端との間に位置していてもよい。
【００１９】
上記構成によれば、前後方向と直交する方向から見ると、光学部材の頂部から反射面が前方にはみ出て見える。従って、反射面が発光部と重なってしまう（隠蔽される）ことがなく、発光部の光を反射させた反射面が確実に視認される。従って、反射面の前端と同列にある表示領域の存在がより明確化される。
【００２０】
本発明の別の態様として、反射面の後端は、前後方向と直交する方向から見て光学部材の基部と並んで同一又は略同一位置にあってもよい。
【００２１】
上記構成によれば、反射面の後端が前後方向と直交する方向から見て光学部材の基部と並んで同一又は略同一位置にあるため、表示領域に対して僅かに斜め横方向から見ても、反射面が前後方向に広がった面であることが把握可能となる。従って、遊技者の呼出装置を見る角度が小さい場合であっても、反射面の前端と同列にある表示領域の存在がより明確化される。
【００２２】
本発明のさらに別の態様として、反射面の後端は、前後方向と直交する方向において、当該反射面の前端よりも表示領域側に位置していてもよい。
【００２３】
上記構成によれば、反射面の後端が前端よりも表示領域側に位置しているため、反射面によって反射される光が表示領域側に進むことが阻止される。すなわち、表示領域に表示される画像に照明部の光が重なることがない。これにより、照明部の光が表示領域の存在を希釈することが防止される。
【００２４】
本発明のさらに別の態様として、反射面は、前端と後端との間が表示領域側にある凹状の湾曲面であってもよい。
【００２５】
上記構成によれば、反射面が湾曲面であるため、反射される光が前後方向と直交する方向だけでなく、斜め前方にも反射される。これにより、反射壁の存在が明示される。その結果、反射面の前端（エッジ）がより明確になり、それと同列にある表示領域の存在もより明確化される。
【発明の効果】
【００２６】
以上のように、本発明は、装飾用の照明部における装飾効果を発揮させつつ、表示部の存在を強調することができるという優れた効果を奏し得る。
【図面の簡単な説明】
【００２７】
【図１】図１は、本発明の一実施形態に係る呼出装置の全体斜視図である。
【図２】図２は、同実施形態に係る呼出装置の正面図である。
【図３】図３は、同実施形態に係る呼出装置の側面図であって、横方向の一方側から見た側面図である。
【図４】図４は、同実施形態に係る呼出装置の側面図であって、横方向の他方側から見た側面図である。
【図５】図５は、同実施形態に係る呼出装置におけるフレームの斜視図である。
【図６】図６は、同実施形態に係る呼出装置の照明部（第一照明部）の部分拡大斜視図である。
【図７】図７は、同実施形態に係る呼出装置の第一照明部に採用された装飾用光学部材の平面図である。
【図８】図８は、図７のＶＩＩＩ部の拡大図であって、第三方向の一方側から見た図である。
【図９】図９は、図７のＶＩＩＩ部の拡大図であって、第三方向の他方側から見た図である。
【図１０】図１０は、同実施形態に係る呼出装置の第一照明部に採用された装飾用光学部材（導光部）における第一孔部を通る断面図であって、図８のＸ−Ｘ断面図である。
【図１１】図１１は、同実施形態に係る呼出装置の第一照明部に採用された装飾用光学部材（導光部）における第二孔部を通る断面図であって、図８のＸＩ−ＸＩ断面図である。
【図１２】図１２は、同実施形態に係る呼出装置の照明部（第二照明部）の部分拡大斜視図である。
【図１３】図１３は、図１２のＸＩＩＩ−ＸＩＩＩ断面図である。
【図１４】図１４は、同実施形態に係る呼出装置の操作部（第一操作部）を斜め下方から見た部分斜視図である。
【図１５】図１５は、同実施形態に係る呼出装置の操作部（第二操作部）を斜め下方から見た部分斜視図である。
【図１６】図１６は、図１４のＸＶＩ−ＸＶＩ断面図である。
【図１７】図１７は、図１５のＸＶＩＩ−ＸＶＩＩ断面図である。
【発明を実施するための形態】
【００２８】
以下、本発明の一実施形態について、添付図面を参照しつつ説明する。
【００２９】
呼出装置は、パチンコやスロットマシン等の遊技機が複数台の設置される遊技場において、遊技機毎に対応付けられて設置される。本実施形態に係る呼出装置は、遊技者と対面する遊技機の上方に配置される。
【００３０】
呼出装置は、図１〜図４に示す如く、呼出装置１は、外部（遊技者やスタッフ等）に所定の情報を告知する告知部として、表示部２及び照明部３，４を備える。より具体的に説明すると、呼出装置１は、遊技に関する情報を表示する表示領域２０を有する表示部２と、表示部２に隣接して配置された照明部３，４と、遊技者が当該呼出装置１を操作するための操作部５，６とを備える。これに伴い、呼出装置１は、表示部２、照明部３，４、及び操作部５，６を支持するフレーム７を備える。また、呼出装置１は、表示部２の表示領域２０の表示態様や、照明部３，４の点灯等を制御する制御部（図示しない）を備える。
【００３１】
まず、フレーム７について概略説明する。フレーム７は、表示部２、照明部３，４、及び操作部５，６のそれぞれを所定の位置で支持する。
【００３２】
本実施形態において、フレーム７は、図５に示す如く、当該呼出装置１を設置した状態で前側に位置する第一フレーム７０と、第一フレーム７０に連結される第二フレーム７１であって、第一フレーム７０の後側に配置される第二フレーム７１とを備える。
【００３３】
第一フレーム７０は、表示部２を配置する表示配置部７００と、照明部３，４を配置する照明配置部７０１，７０２と、操作部５，６を配置する操作配置部７０３，７０４とを有する。
【００３４】
表示配置部７００は、表示部２の表示領域２０が配置される開口を画定する枠部７０５を有する。本実施形態において、枠部７０５は、四角形状である。すなわち、枠部７０５は、一方向に延び且つ一方向と直交する方向に間隔をあけて配置される一対の横桟７０５ａ，７０５ａと、一方向と直交する方向に延び且つ一方向に間隔をあけて配置される一対の縦桟７０５ｂ，７０５ｂであって、それぞれの両端が一対の横桟７０５ａ，７０５ａに連結された一対の縦桟７０５ｂ，７０５ｂとを備える。
【００３５】
本実施形態に係る呼出装置１は、横桟７０５ａ，７０５ａが横方向に延びるように設置される。すなわち、呼出装置１は、一対の横桟７０５ａ，７０５ａが上下方向に並ぶように設置される。
【００３６】
これを前提に、第一フレーム７０は、照明配置部７０１，７０２として、一方（上側）の横桟７０５ａに沿った第一照明配置部７０１と、一対の縦桟７０５ｂ，７０５ｂのそれぞれに沿った一対の第二照明配置部７０２，７０２とを有する。第一照明配置部７０１及び第二照明配置部７０２，７０２は、照明部３，４（後述する第一照明部３及び第二照明部４）を収容可能で且つ照明部３，４を支持可能に構成される。
【００３７】
第一フレーム７０は、操作配置部７０３，７０４として、第一操作配置部７０３と、第二操作配置部７０４とを有する。第一操作配置部７０３及び第二操作配置部７０４は、表示配置部７００の枠部７０５を構成する一対の横桟７０５ａ，７０５ａのうちの他方（下側）の横桟７０５ａの両側に設けられる。第一操作配置部７０３及び第二操作配置部７０４のそれぞれは、操作部５，６（後述する第一操作部５、第二操作部６の操作体５１，６１（図１〜図４参照））の一部を収容可能に構成される。すなわち、第一操作配置部７０３及び第二操作配置部７０４のそれぞれは、操作部５，６（第一操作部５、第二操作部６の操作体５１，６１）の一部を露出させる開口７０６，７０７を有する。
【００３８】
第二フレーム７１は、第一フレーム７０に連結された状態で、第一フレーム７０に支持された表示部２、照明部３，４（第一照明部３、第二照明部４）及び操作部５，６（第一操作部５、第二操作部６）を後方から覆うようになっている。
【００３９】
次に、表示部２について説明する。図１及び図２に示す如く、表示部２は、平面状の表示領域２０を有する。本実施形態において、表示領域２０は、液晶パネルで構成される。また、本実施形態において、表示領域２０は、タッチ操作機能を有する。すなわち、表示領域２０は、液晶パネルとタッチパネルとの積層体により構成される。これにより、表示領域２０は、自身に表示した選択ボタンが遊技者等にタッチ操作されることにより、表示する画像（例えば、遊技情報に関する画像）を切り替えるようになっている。
【００４０】
本実施形態において、表示領域２０は、正面視四角形状である。これに伴い、表示部２において、表示領域２０（液晶パネル）は、自身の外縁をフレーム７（第一フレーム７０）の枠部７０５に合わせた状態で、フレーム７（第一フレーム７０）に支持される。これにより、フレーム７（第一フレーム７０）の枠部７０５（横桟７０５ａ，縦桟７０５ｂ）は、表示部２の外縁を構成する。すなわち、本実施形態に係る表示部２は、平面状の表示領域２０と、表示領域２０を取り囲む枠部７０５とを含む。
【００４１】
次に、照明部３，４について説明する。本実施形態に係る呼出装置１は、照明部３，４として、表示領域２０の上側に配置される第一照明部３と、横方向における表示領域２０の両側に配置される一対の第二照明部４とを備える。すなわち、呼出装置１は、照明部３，４として、第一照明配置部７０１（図５参照）に配置される第一照明部３と、一対の第二照明配置部７０２，７０２（図５参照）のそれぞれに配置される一対の第二照明部４とを備える。
【００４２】
まず、第一照明部３について説明すると、第一照明部３は、図６に示す如く、光源（以下、第一光源という）３０と、第一光源３０の前方に配置される装飾用光学部材３１と、装飾用光学部材３１を覆うカバー体（以下、第一カバー体という）３２とを備える。
【００４３】
第一光源３０には、ＬＥＤが採用される。本実施形態において、第一光源３０は、発光色の異なる複数のＬＥＤチップを一群としたもの（基板（図示しない）に搭載された複数のＬＥＤチップ）である。これにより、第一光源３０は、異なる色のＬＥＤチップを順々に発光させたり、異なる色のＬＥＤチップを複数同時に発光させたり、指定の色のＬＥＤチップを発光させたりする。すなわち、第一光源３０は、異なる色のＬＥＤチップにより、指定された装飾（発光）態様で発光する。
【００４４】
本実施形態において、第一照明部３は、表示部２の横桟７０５ａ（フレーム７の横桟７０５ａ）の全長に沿って配置される。これに伴い、第一照明部３は、複数の第一光源３０，…を備える。複数の第一光源３０，…は、横桟７０５ａの延びる方向に間隔をおいて配置される。各第一光源３０，…は、表示領域２０と直交する方向に光軸が設定され、表示部２の表示方向と同方向に光を照射するように配置される。すなわち、各第一光源３０，…は、表示部２の前方側に光を照射するように設置される。
【００４５】
装飾用光学部材３１は、図７に示す如く、光透過性を有する材料（本実施形態においては、透明樹脂）で成形された少なくとも一つの導光部３１０を備える。すなわち、装飾用光学部材３１は、単一の第一光源３０の前方に配置される導光部３１０を備える。
【００４６】
本実施形態において、第一照明部３が複数の第一光源３０，…を備えるため、装飾用光学部材３１は、複数の第一光源３０，…に対応して配置される複数の導光部３１０，…を備える。
【００４７】
導光部３１０は、図８及び図９に示す如く、第一光源３０からの光を受ける入光部３１１ａと該入光部３１１ａの反対側の先端３１１ｂを第一方向に有する主導光部３１１と、それぞれが主導光部３１１の先端３１１ｂと連続する一対の分岐導光部３１２，３１２であって、第一方向と直交する第二方向又は該第二方向を成分に含む方向に延び、且つ第一方向において入光部３１１ａに対して反対側を向く出射部３１２ａを含む一対の分岐導光部３１２，３１２と、分岐導光部３１２における第一方向から見て主導光部３１１と重なる範囲Ａ内に少なくとも一部を位置させた少なくとも一つの第一孔３１３とを有する。また、本実施形態において、導光部３１０は、分岐導光部３１２の延びる方向における該分岐導光部３１２の両端部間に位置する少なくとも一つの第二孔３１４をさらに有する。
【００４８】
主導光部３１１は、中実である。主導光部３１１の入光部３１１ａは、単一の第一光源３０（本実施形態においては、複数のＬＥＤチップを一群とした第一光源３０）と対向可能なサイズに設定される。具体的には、入光部３１１ａのサイズは、当該入光部３１１ａと第一光源３０との間隔（距離）と、第一光源３０の発光特性（照射範囲の広がり）との関係で決定され、所定位置にある第一光源３０からの光の受け得るサイズに設定される。すなわち、入光部３１１ａは、所定位置にある第一光源３０の照射角の範囲を包含するサイズにされる。
【００４９】
入光部３１１ａは、平面又は湾曲面とされるが、何れにおいても滑面にされる。すなわち、入光部３１１ａは、光を拡散させてしまう凹凸の無い面或いは凹凸の少ない面にされる。本実施形態において、入光部３１１ａは、平面状である。ここでは、入光部３１１ａは、正面視四角形状である。
【００５０】
主導光部３１１は、第一方向及び第二方向と直交する第三方向で外側を向き且つ第三方向で相反する方向に向く一対の外面（以下、第一外面という）Ｓ１，Ｓ２と、第二方向で外側を向き且つ第二方向で相反する方向に向く一対の外面（以下、第二外面という）Ｓ３，Ｓ４とを有する。
【００５１】
第一外面Ｓ１，Ｓ２及び第二外面Ｓ３，Ｓ４のそれぞれは、平面状に形成される。第一外面Ｓ１，Ｓ２と第二外面Ｓ３，Ｓ４とは、直角又は略直角をなし、互いに連続する。これにより、主導光部３１１の第一方向から見た断面形状は、四角形状になっている。本実施形態において、主導光部３１１は、一対の第一外面Ｓ１，Ｓ２を上下方向に位置させた状態で、第一光源３０の前方に配置される。
【００５２】
入光部３１１ａから先端３１１ｂまでの主導光部３１１の外形サイズ（第一方向から見た輪郭のサイズ）は、入光部３１１ａと同一のサイズ又は入光部３１１ａよりも大きいサイズに設定される。これを前提に、第一方向から見た主導光部３１１の断面は、入光部３１１ａから先端３１１ｂにかけて同一であるか、入光部３１１ａから先端３１１ｂに向けて拡大する。
【００５３】
本実施形態において、第一方向から見た主導光部３１１の断面は、入光部３１１ａから先端３１１ｂにかけて同一である。これにより、主導光部３１１は、入光部３１１ａと先端３１１ｂとの間で部分的又は全体的に絞られていない。
【００５４】
一対の分岐導光部３１２，３１２のそれぞれは、主導光部３１１と一体成形される。すなわち、一対の分岐導光部３１２，３１２のそれぞれは、主導光部３１１に対して継ぎ目なく連続している。従って、分岐導光部３１２，３１２は、主導光部３１１と同様に、中実である。
【００５５】
一対の分岐導光部３１２，３１２のそれぞれは、主導光部３１１の先端３１１ｂを分岐点としている。本実施形態において、一対の分岐導光部３１２，３１２のそれぞれは、第二方向を成分として含む方向に延びる。一対の分岐導光部３１２，３１２のそれぞれは、第一方向と第二方向との合成方向に延びる。
【００５６】
これにより、一対の分岐導光部３１２，３１２のうちの一方の分岐導光部３１２は、主導光部３１１の先端３１１ｂから第二方向の一方側に延出し、一対の分岐導光部３１２，３１２のうちの他方の分岐導光部３１２は、主導光部３１１の先端３１１ｂから第二方向の他方側に延出している。
【００５７】
一対の分岐導光部３１２，３１２は、主導光部３１１の第一外面Ｓ１，Ｓ２と直交する仮想面（図示しない）であって、主導光部３１１の第一方向に延びる中心線上を通る仮想面を基準に面対称に配置される。
【００５８】
一対の分岐導光部３１２，３１２のそれぞれは、上述の如く、入光部３１１ａに対して反対側を向いた出射部３１２ａを含む。すなわち、各分岐導光部３１２，３１２は、入光部３１１ａに入った光を外方に出射させる出射部３１２ａを含む。
【００５９】
具体的に説明すると、分岐導光部３１２，３１２は、第三方向で外側を向き且つ第三方向で相反する方向に向く一対の外面（以下、第三外面という）Ｓ５，Ｓ６と、第三方向で外側を向き且つ第三方向で相反する方向に向く一対の外面（以下、第三外面という）Ｓ５，Ｓ６を備える。また、分岐導光部３１２，３１２は、第一方向と第二方向との合成方向及び第三方向と直交する方向で外側を向き且つ該方向で相反する方向に向く一対の外面（以下、第四外面という）Ｓ７，Ｓ８を有する。
【００６０】
本実施形態において、分岐導光部３１２，３１２の第三外面Ｓ５，Ｓ６は、平面状に形成される。分岐導光部３１２，３１２における第三外面Ｓ５，Ｓ６は、主導光部３１１の第一外面Ｓ１，Ｓ２と連続している。すなわち、一対の第一外面Ｓ１，Ｓ２のうちの一方の第一外面Ｓ１と、一対の第三外面Ｓ５，Ｓ６のうちの一方の第三外面Ｓ５とは同面であり、一対の第一外面Ｓ１，Ｓ２のうちの他方の第一外面Ｓ２と、一対の第三外面Ｓ５，Ｓ６のうちの他方の第三外面Ｓ６とは同面である。
【００６１】
本実施形態に係る分岐導光部３１２，３１２において、一対の第四外面Ｓ７，Ｓ８は、上述の如く、第一方向と第二方向との合成方向及び第三方向と直交する方向で互いに相反する方向に向いている。すなわち、一対の第四外面Ｓ７，Ｓ８のそれぞれは、第一方向を成分として含む方向に向いている。従って、一対の第四外面Ｓ７，Ｓ８は、第一方向から見える面である。すなわち、一対の第四外面Ｓ７，Ｓ８のうちの一方の第四外面Ｓ７は、第一方向の一方側から見える面（主導光部３１１の入光部３１１ａ側から見る面）であり、一対の第四外面Ｓ７，Ｓ８のうちの他方の第四外面Ｓ８は、第一方向の他方側から見える面である。
【００６２】
これに伴い、分岐導光部３１２，３１２における他方の第四外面Ｓ８が、当該導光部３１０の出射部３１２ａとされている。本実施形態において、出射部３１２ａ（他方の第四外面Ｓ８）は、滑面である。これに対し、一方の第四外面Ｓ７は、複数の凹凸の形成された凹凸面である。具体的には、一方の第四外面Ｓ７は、第三方向に延びる凸条３１２ｂと凹条３１２ｃであって、自身の延びる方向と直交する方向で交互に配置された複数の凸条３１２ｂ及び凹条３１２ｃを有する。凹条３１２ｃは、横並びに配置される二つの凸条３１２ｂによって形成される。本実施形態において、凸条３１２ｂは、第三方向から見て三角形状である。これに伴い、凹条３１２ｃも第三方向から見て三角形状である。なお、複数の凸条３１２ｂのそれぞれは、第三方向から見て異なるサイズにされてもよいが、本実施形態においては、同一又は略同一のサイズである。
【００６３】
本実施形態において、分岐導光部３１２，３１２における一対の第四外面Ｓ７，Ｓ８は、湾曲している。具体的には、一対の第四外面Ｓ７，Ｓ８のそれぞれは、当該分岐導光部３１２の延びる方向において、主導光部３１１側にある第一端縁と、第一端縁の反対側にある第二端縁とを有する。そして、一対の第四外面Ｓ７，Ｓ８のうちの一方の第四外面Ｓ７は、第一端縁と第二端縁との間を窪ませた円弧状にされ、一対の第四外面Ｓ７，Ｓ８のうちの他方の第四外面Ｓ８は、第一端縁と第二端縁との間を突出させた円弧状にされている。
【００６４】
これにより、分岐導光部３１２，３１２は、第三方向から見て円弧状になっている。本実施形態において、分岐導光部３１２，３１２は、第三方向から見て１／２円弧状になっている。また、一対の分岐導光部３１２，３１２のそれぞれにおける自身の延びる方向（第一方向と第二方向との合成方向）から見た断面形状は、四角形状である。
【００６５】
一対の分岐導光部３１２，３１２における出射部３１２ａ（他方の第四外面Ｓ８）は、主導光部３１１の先端上で接続される。本実施形態において、第四外面Ｓ７，Ｓ８が円弧状に形成されるに伴い、一対の分岐導光部３１２，３１２の出射部３１２ａ（他方の第四外面Ｓ８）同士は、主導光部３１１の先端３１１ｂ側に向けた窪みを作る。
【００６６】
第一孔３１３は、第三方向に延び、且つ第三方向から見て多角形状である。一対の分岐導光部３１２，３１２のそれぞれの端部は、主導光部３１１の先端３１１ｂに重なっている。これに伴い、第一孔３１３は、一対の分岐導光部３１２，３１２のそれぞれの端部に対応して設けられている。
【００６７】
第一孔３１３を画定する内周面は、第三方向に延びる軸線周りに配置される複数の平面部３１３ａ，…であって、無端環状に繋がる複数の平面部３１３ａ，…を含む。周方向で隣り合う二つの平面部３１３ａ，…は、多角形状の内角を決定する。第一孔３１３は、内角を決定する二つの平面部３１３ａ，…（隣り合う二つの平面部３１３ａ，…）が主導光部３１１における第二外面Ｓ３，Ｓ４に対して傾斜した態様になるように配置される。すなわち、第一孔３１３は、内角を決定する二つの平面部３１３ａ，…（隣り合う二つの平面部３１３ａ，…）が主導光部３１１における第二外面Ｓ３，Ｓ４に対して平行にならないように配置される。
【００６８】
本実施形態において、第一孔３１３は、第三方向から見て奇数個の角部を有する多角形状とされる。ここでは、第一孔３１３は、第三方向から見て三角形状である。すなわち、第一孔３１３を画定する内周面は、第三方向に延びる軸線周りに配置される三つの平面部３１３ａ，…であって、無端環状に繋がる三つの平面部３１３ａ，…を含む。これに伴い、三つの平面部３１３ａ，…のそれぞれが主導光部３１１における第二外面Ｓ３，Ｓ４に対して傾斜した態様になるように、第一孔３１３は、配置される。
【００６９】
図１０に示す如く、第一孔３１３は、非貫通孔である。本実施形態において、導光部３１０は、分岐導光部３１２における第一方向から見て主導光部３１１と重なる範囲Ａ内に第三方向で同列に配置された二つの第一孔３１３，３１３を有する。二つの第一孔３１３，３１３のうちの一方の第一孔３１３は、分岐導光部３１２における一方の第三外面Ｓ５上で開放した非貫通孔である。これに対し、二つの第一孔３１３，３１３のうちの他方の第一孔３１３は、分岐導光部３１２における他方の第三外面Ｓ６上で開放した非貫通孔である。
【００７０】
さらに、本実施形態において、第一孔３１３，３１３は、第三外面Ｓ５，Ｓ６から分岐導光部３１２の内側に向かうにつれて小さくなっている。ここでの第一孔３１３，３１３は、段付き孔である。すなわち、第一孔３１３，３１３は、第三方向から見て互いに相似関係にあるサイズ違いの孔が第三方向に並んで形成されている。なお、サイズ違いの孔は、それぞれを画定する内周面（平面部３１３ａ，…）同士が平行になるように配置されている。
【００７１】
図８及び図９に示す如く、第二孔３１４は、第三方向に延び、且つ第三方向から見て多角形状である。第二孔３１４は、第一孔３１３に対して分岐導光部３１２の延びる方向に間隔をあけて配置される。
【００７２】
第二孔３１４を画定する内周面は、第三方向に延びる軸線周りに配置される複数の平面部３１４ａ，…であって、無端環状に繋がる複数の平面部３１４ａ，…を含む。周方向で隣り合う二つの平面部３１４ａ，…は、多角形状の内角を決定する。第二孔３１４は、内角を決定する二つの平面部３１４ａ，…（隣り合う二つの平面部３１４ａ，…）が第四外面Ｓ７，Ｓ８に対して交差する方向に広がるように配置される。本実施形態において、分岐導光部３１２の出射部３１２ａ（他方の第四外面Ｓ８）は、円弧面であるため、第二孔３１４を如何に配置しても、第二孔３１４の内周面（平面部３１４ａ，…）は、出射部３１２ａ（他方の第四外面Ｓ８）に対して交差する方向に広がる。
【００７３】
本実施形態において、第二孔３１４は、第三方向から見て奇数個の角部を有する多角形状とされる。ここでは、第二孔３１４は、第三方向から見て三角形状である。すなわち、第二孔３１４を画定する内周面は、第三方向に延びる軸線周りに配置される三つの平面部３１４ａ，…であって、無端環状に繋がる三つの平面部３１４ａ，…を含む。これに伴い、三つの平面部３１４ａ，…のそれぞれが主導光部３１１における第四外面Ｓ７，Ｓ８に対して交差する方向に広がるように、第二孔３１４，３１４は、配置される。
【００７４】
図１１に示す如く、第二孔３１４は、非貫通孔である。本実施形態において、導光部３１０は、第三方向で同列に配置された二つの第二孔３１４，３１４であって、分岐導光部３１２の延びる方向における該分岐導光部３１２の両端部間に位置する二つの第二孔３１４，３１４を有する。二つの第二孔３１４，３１４のうちの一方の第二孔３１４は、分岐導光部３１２における一方の第三外面Ｓ５上で開放した非貫通孔である。これに対し、二つの第二孔３１４，３１４のうちの他方の第二孔３１４は、分岐導光部３１２における他方の第三外面Ｓ６上で開放した非貫通孔である。
【００７５】
さらに、本実施形態において、第二孔３１４，３１４は、第三外面Ｓ５，Ｓ６から分岐導光部３１２の内側に向かうにつれて小さくなっている。ここでの第二孔３１４，３１４は、段付き孔である。すなわち、第二孔３１４，３１４は、第三方向から見て互いに相似関係にあるサイズ違いの孔が第三方向に並んで形成されている。なお、サイズ違いの孔は、それぞれを画定する内周面（平面部３１４ａ，…）同士が平行になるように配置されている。
【００７６】
本実施形態の第一照明部３において、図７に示す如く、複数の第一光源３０，…が横桟７０５ａの延びる方向（第一方向）に間隔をおいて配置されるため、装飾用光学部材３１において、複数の導光部３１０，…も、横桟７０５ａ，７０５ａの延びる方向に間隔をおいて配置される。すなわち、複数の導光部３１０，…は、それぞれの入光部３１１ａを対応する第一光源３０の前方に位置させた状態で配置される。
【００７７】
本実施形態においては、隣り合う導光部３１０の分岐導光部３１２，３１２同士が継ぎ目なく連続している。すなわち、複数の導光部３１０，…は、継ぎ目なく一体成形されている。
【００７８】
本実施形態において、単一の導光部３１０に含まれる一対の分岐導光部３１２，３１２のそれぞれは、１／４円弧状に形成され、且つ隣り合う導光部３１０の分岐導光部３１２と継ぎ目なく連続しているため、隣り合う二つの導光部３１０の分岐導光部３１２，３１２（連続する二つの分岐導光部３１２，３１２）は、一体となり、平面視１／２円弧状になっている。また、隣り合う二つの導光部３１０の分岐導光部３１２，３１２における出射部３１２ａ，３１２ａも継ぎ目なく連続し、外方に向けて突出した略１／２円弧面になっている。
【００７９】
このようにされることで、複数の導光部３１０，…が第二方向に連続する。これに伴い、装飾用光学部材３１は、図６に示す如く、表示部２の横桟７０５ａの上方位置で該横桟７０５ａ沿って配置される。
【００８０】
第一カバー体３２は、光透過性を有する。第一カバー体３２は、横桟７０５ａに沿って配置された装飾用光学部材３１全体を覆う。本実施形態において、上述の如く、第一光源３０に発光色の異なる複数のＬＥＤチップを一群としたもの（複数のＬＥＤチップを基板に搭載したもの）が採用される。これに伴い、第一光源３０からの有色光を透過させるべく、第一カバー体３２は、無色透明である。本実施形態において、第一カバー体３２は、無色透明な樹脂製である。
【００８１】
本実施形態に係る第一照明部３において、光の広がりの狭い（直線性の高い）第一光源（ＬＥＤ）３０からの光が入光部３１１ａに入ると、その光は、主導光部３１１内で第一方向に進み、主導光部３１１の先端に接続された分岐導光部３１２，３１２に到達する。分岐導光部３１２，３１２における第一方向から見て主導光部３１１と重なる範囲Ａには、第一孔３１３，３１３があるため、分岐導光部３１２，３１２に到達した光は、第一孔３１３，３１３の内周面（平面部３１３ａ，…）に到達する。第一孔３１３，３１３の内周面（平面部３１３ａ，…）は、空気層と分岐導光部３１２，３１２の実体部分との界面であるため、第一孔３１３，３１３の内周面（平面部３１３ａ，…）に到達した光は、その平面部３１３ａ，…で反射する光と、平面部３１３ａ，…を透過する光とに分かれる。
【００８２】
第一孔３１３，３１３は、多角形状（本実施形態においては三角形状）であり、その内周面を構成する二つの平面部３１３ａ，…が第一方向と交差する方向に広がるため、平面部３１３ａ，…で反射した光は、入光部３１１ａ側には戻らず、分岐導光部３１２，３１２内で第一方向と交差する方向に反射される。また、第一孔３１３の平面部３１３ａ，…を通過した光は、第一孔３１３内を通過し、別の平面部３１３ａ，…から分岐導光部３１２内に入る。
【００８３】
そして、分岐導光部３１２に入った光は、一対の第四外面Ｓ７，Ｓ８に到達する。一対の第四外面Ｓ７，Ｓ８についても、空気層と分岐導光部３１２，３１２の実体部分との界面であるため、第四外面Ｓ７，Ｓ８に到達した光は、その第四外面Ｓ７，Ｓ８で反射する光と、第四外面Ｓ７，Ｓ８を透過する光とに分かれる。すなわち、分岐導光部３１２，３１２内にある光は一対の第四外面Ｓ７，Ｓ８で反射を繰り返しつつ、出射部３１２ａ（他方の第四外面Ｓ８）から出射される。本実施形態において、分岐導光部３１２には、第二孔３１４があるため、一対の第四外面Ｓ７，Ｓ８で反射を繰り返す光のうち、第二孔３１４の内周面（平面部３１４ａ，…）に到達する光がある。
【００８４】
第二孔３１４の内周面（平面部３１４ａ，…）は、空気層と分岐導光部３１２の実体部分との界面であるため、第二孔３１４の内周面（平面部３１４ａ，…）に到達した光は、その平面部３１４ａ，…で反射する光と、平面部３１４ａ，…を透過する光とに分かれる。第二孔３１４は、多角形状（本実施形態においては三角形状）であり、その内周面を構成する二つの平面部３１４ａ，…が第一方向と交差する方向に広がるため、平面部３１４ａ，…で反射した光は、方向性を変えて第四外面Ｓ７，Ｓ８に到達し、第二孔３１４の平面部３１４ａ，…を通過した光は、第二孔３１４内を通過し、別の平面部３１４ａ，…から分岐導光部３１２に入る。
【００８５】
そして、分岐導光部３１２内にある光は一対の第四外面Ｓ７，Ｓ８で反射を繰り返しつつ、出射部３１２ａ（他方の第四外面Ｓ８）から出射される。本実施形態において、一方の第四外面Ｓ７には、第三方向に延びる凸条３１２ｂ及び凹条３１２ｃが交互に形成されているため、一方の第四外面Ｓ７で反射される光の拡散性が高く、分岐導光部３１２の出射部３１２ａ（他方の第四外面Ｓ８）全体に光が到達する。
【００８６】
従って、主導光部３１１の入光部３１１ａから入った第一光源（ＬＥＤ）３０の光は、集中することなく第一方向と交差する方向に広がって、一対の分岐導光部３１２，３１２の出射部３１２ａから出射される。
【００８７】
本実施形態において、第一孔３１３及び第二孔３１４は、段付き孔にされているため、分岐導光部３１２内において通過位置を異にする光が同一の挙動を取らず分散（拡散）される。これにより、分岐導光部３１２の出射部３１２ａにおいて、光の強弱がつき、装飾性に富む発光となる。
【００８８】
特に、本実施形態において、第一孔３１３及び第二孔３１４は、非貫通孔とされ、一方の第三外面Ｓ５側と他方の第三外面Ｓ６側の両方に設けられているため、光の強弱を付けることができ、また、一方の第三外面Ｓ５側の第一孔３１３と他方の第三外面Ｓ６側の第一孔３１３との間を通過する光や、一方の第三外面Ｓ５側の第二孔３１４と他方の第三外面Ｓ６側の第二孔３１４との間を通過する光が出射部３１２ａ（他方の第四外面Ｓ８）から出射されることで、より強弱のついた装飾性に富む発光となる。
【００８９】
本実施形態においては、複数の導光部３１０，…が継ぎ目なく連続しているため、複数の第一光源３０，…を順々に点灯させた場合には、連続する分岐導光部３１２，３１２で光が切れ間なく繋がる。また、複数の第一光源３０を順々に点灯させた場合において、各第一光源３０，…の発光色を異ならせても連続する分岐導光部３１２，３１２で異なる色の光が絶妙な状態で混ざり合う。従って、出射部３１２ａから出射される光による装飾が良好となる。また、複数の第一光源３０を一斉に点灯させた場合には、連続する分岐導光部３１２，３１２で光が一体となり、装飾用光学部材３１の出射部３１２ａ（複数の導光部３１０，…の連続する出射部３１２ａ，…）全体が均等に発光する。
【００９０】
次に、第二照明部４について説明する。第二照明部４は、図１２及び図１３に示す如く、表示領域２０と直交する前後方向において、表示領域２０よりも奥まった位置に配置される発光部４０であって、前後方向と直交する方向において表示領域２０と並ぶ発光部４０と、表示領域２０と発光部４０との間に配置される壁部４１であって、前後方向と直交する方向において外方に向く反射面４１０を有する壁部４１とを備える。また、本実施形態において、第二照明部４は、反射面４１０及び発光部４０を覆うカバー体（以下、第二カバー体という）４２を備える。
【００９１】
発光部４０は、上述の如く、表示部２の表示領域２０と直交する方向において、表示領域２０よりも奥まった位置に配置される。すなわち、発光部４０は、表示領域２０と直交する方向において、表示部２の表示領域２０よりも外方に位置しない状態で配置される。これを前提に、発光部４０は、図１３に示す如く、光源（以下、第二光源という）４００と、第二光源４００を覆う光学部材４０１であって、第二光源４００からの光を拡散させる光学部材４０１とを備える。
【００９２】
第二光源４００には、ＬＥＤが採用される。本実施形態において、第二光源４００は、発光色の異なる複数のＬＥＤチップを一群としたもの（基板に搭載された複数のＬＥＤチップ）である。これにより、第二光源４００は、異なる色のＬＥＤチップを順々に発光させたり、異なる色のＬＥＤチップを複数同時に発光させたり、指定の色のＬＥＤチップを発光させたりする。すなわち、第二光源４００は、異なる色のＬＥＤチップにより、指定された装飾（発光）態様で発光する。
【００９３】
本実施形態において、発光部４０は、表示部２の縦桟７０５ｂの全長に沿って配置される。これに伴い、発光部４０は、複数の第二光源４００，…を備える。複数の第二光源４００，…は、縦桟７０５ｂの延びる方向に間隔をおいて配置される。各第二光源４００，…は、表示部２の平面状の表示領域２０と直交する方向に光軸が設定され、表示部２の表示方向と同方向に光を照射するように設置される。すなわち、各第二光源４００，…は、表示部２の前方側に向けて光を照射するように設置される。
【００９４】
光学部材４０１は、光透過性を有する。本実施形態において、光学部材４０１は、半透明な樹脂製である。光学部材４０１は、第二光源４００と対向する内面と、該内面の反対側の外面とを有する。本実施形態において、光学部材４０１の内面には、第二光源４００からの光を拡散させるための凹凸が多数形成されている。これに対し、光学部材４０１の外面には、レンズカットが施されている。
【００９５】
具体的には、光学部材４０１は、一方向に第一端と該第一端の反対側の第二端とを有し、一方向と直交する方向に第一基部４０１ａと該第一基部４０１ａの反対側の第二基部４０１ｂとを有する。第一基部４０１ａ及び第二基部４０１ｂが同一面上に位置する。
【００９６】
光学部材４０１は、第一基部４０１ａ及び第二基部４０１ｂが同一面上に位置することを前提に、第一基部４０１ａ及び第二基部４０１ｂのそれぞれから中央に向かうにつれて外方に位置するように形成されている。これにより、光学部材４０１の外面において、一方向と直交する方向における中央が最も突出し、光学部材４０１の内面において、一方向と直交する方向における中央が最も窪んでいる。すなわち、光学部材４０１は、前後方向において後方側に位置する基部（第一基部４０１ａ及び第二基部４０１ｂ）と前方側に位置する頂部とを有する。
【００９７】
光学部材４０１は、第一端及び第二端の並ぶ一方向を縦桟７０５ｂの延びる方向に併せて配置され、第一基部４０１ａ及び第二基部４０１ｂがフレーム７に支持される。これを前提に、一方向における光学部材４０１の長さは、縦桟７０５ｂの長さに対応している。また、
【００９８】
光学部材４０１の頂部は、前後方向と直交する方向から見て反射面４１０における前後方向の両端間（後述する前端４１１と後端４１２との間）に位置している。すなわち。光学部材４０１の外面における頂部（最も突出した部分）の突出量（第一基部４０１ａ及び第二基部４０１ｂから外面の中央まで突出量）は、前後方向における反射面４１０の幅よりも小さく設定される。これにより、発光部４０（光学部材４０１）は、呼出装置１を前後方向と直交する方向から見て反射面４１０を視認可能とする。
【００９９】
本実施形態において、複数の第二光源４００，…が間隔をあけて配置されるため、光学部材４０１は、第二光源４００に対応する領域毎にレンズカットが施されている。また、光学部材４０１の外面には、隣り合う第二光源４００の間と対応する位置（レンズカットされた領域間）に、周方向に延びる溝４０１ｃが形成されている（図１２参照）。
【０１００】
上記構成の光学部材４０１は、第一基部４０１ａ及び第二基部４０１ｂがフレーム７に支持された状態で、表示部２の縦桟７０５ｂ，７０５ｂに沿って配置される複数の第二光源４００，…を一括して覆う。
【０１０１】
壁部４１の反射面４１０は、表示部２の外縁に沿った前端４１１と、表示領域２０と直交する方向において、表示領域２０よりも奥まった位置にある後端４１２とを有する。すなわち、反射面４１０は、フレーム７の横桟７０５ａ，７０５ａの延びる方向で外側に向く。本実施形態において、反射面４１０は、鏡面にされている。反射面４１０の前端４１１は、フレーム７（第一フレーム７０）の縦桟７０５ｂ，７０５ｂに沿っている。反射面４１０は、前端４１１と後端４１２との間で湾曲している。すなわち、反射面４１０は、凹状の湾曲面である。
【０１０２】
本実施形態において、反射面４１０の後端４１２は、前端４１１よりも表示領域２０側に位置している。反射面４１０の後端４１２は、前後方向と直交する方向から見て光学部材４０１の基部４０１ａ，４０１ｂ（第一基部４０１ａ、第二基部４０１ｂ）と並んで同一又は略同一位置にある。
【０１０３】
第二カバー体４２は、光透過性を有する。第二カバー体４２は、発光部４０及び壁部４１の全体を覆う。本実施形態において、上述の如く、第二光源４００に発光色の異なる複数のＬＥＤチップを一群としたもの（複数のＬＥＤチップを基板に搭載したもの）が採用される。これに伴い、第二光源４００からの有色光を透過させるべく、第二カバー体４２は、無色透明である。本実施形態において、第二カバー体４２は、無色透明な樹脂製である。
【０１０４】
本実施形態において、第二照明部４の発光部４０が発光すると、発光部４０を基点に光りが広がる。すなわち、発光部４０からの光は前方側だけでなく横方向にも進む。第二照明部４は、発光部４０に隣接する壁部４１であって、前後方向と直交する方向に向く反射面４１０を有する壁部４１を備えるため、発光した発光部４０が反射面４１０に映るとともに、該発光部４０から横方向に進む光が反射面４１０に到達し、該反射面４１０で反射される。これにより、反射面４１０は光ったように見える。特に、反射面４１０は、表示領域２０と直交する方向に前端４１１と後端４１２を有するため、奥行き方向に広がる面が発光したかのように見える。これにより、表示領域２０の両側にある横向きの面（反射面４１０）の存在が浮き立つ。その結果、反射面４１０の前端４１１（エッジ）が明確になり、それと同列にある表示領域２０の存在も明確化される。
【０１０５】
特に、本実施形態において、第二照明部４の反射面４１０は、湾曲面であるため、反射される光が横方向だけでなく、斜め前方にも反射される。これにより、表示領域２０の表側にある横向きの面の存在が明示される。その結果、反射面４１０の前端４１１（エッジ）がより明確になり、それと同列にある表示領域２０の存在もより明確化される。
【０１０６】
本実施形態において、反射面４１０の後端４１２が前端４１１よりも表示領域２０の中央よりにあるため、反射面４１０によって反射される光が表示領域２０側に進むことが阻止される。
【０１０７】
次に、操作部５，６について説明する。図１、図２、図１４、及び図１５に示す如く、呼出装置１は、操作部５，６として、照明部３，４（第一照明部３及び第二照明部４の少なくとも何れか一方）を所定の態様で点灯させるための操作部（以下、第一操作部という）５と、表示部２の表示領域２０における表示態様を切り換えるための操作部（以下、第二操作部という）６とを備える。
【０１０８】
第一操作部５及び第二操作部６は、表示部２の下方側に配置される。本実施形態において、第一操作部５は、フレーム７（第一フレーム７０）の枠部７０５を構成する他方の横桟７０５ａの一端と隣接して配置され、第二操作部６は、フレーム７（第一フレーム７０）の枠部７０５を構成する他方の横桟７０５ａ，７０５ａの他端と隣接して配置される。すなわち、第一操作部５は、フレーム７（第一フレーム７０）の第一操作配置部７０３に配置され、第二操作部６は、フレーム７（第一フレーム７０）の第二操作配置部７０４に配置される。
【０１０９】
第一操作部５及び第二操作部６は、構造的に共通している。具体的に説明すると、第一操作部５及び第二操作部６のそれぞれは、図１６及び図１７に示す如く、多方向性のレバースイッチ５０，６０と、レバースイッチ５０，６０を操作するための操作体５１，６１とを備える。また、第一操作部５及び第二操作部６のそれぞれは、レバースイッチ５０，６０をフレーム７に固定するためのスイッチ支持体５２，６２とを備える。
【０１１０】
レバースイッチ５０，６０は、一方向に基端部と該基端部の反対側の先端部とを有する棒状のレバー５００，６００と、基端部側を支点にしてレバー５００，６００を傾倒可能に支持する支持部５０１，６０１と、制御部に電気的に接続されるスイッチング素子５０２，６０２であって、レバー５００，６００の傾倒に応じて制御部に信号を付与するスイッチング素子５０２，６０２とを有する。
【０１１１】
レバー５００，６００は、一方向に基端と先端とを有する円錐台部５００ａ，６００ａであって、基端から先端に向けて外径が拡大した円錐台部５００ａ，６００ａと、一方向に基端と先端とを有する大径部５００ｂ，６００ｂであって、円錐台部５００ａ，６００ａの先端に基端が接続され、円錐台部５００ａ，６００ａの最大径よりも大径にされた大径部５００ｂ，６００ｂと、一方向に基端と先端とを有する棒状のレバー本体部５００ｃ，６００ｃであって、大径部５００ｂ，６００ｂの先端に基端が接続され、大径部５００ｂ，６００ｂよりも小径にされたレバー本体部５００ｃ，６００ｃとを備える。これにより、本実施形態において、円錐台部５００ａ，６００ａがレバー５００，６００の基端部を構成し、レバー本体部５００ｃ，６００ｃの先端部がレバー５００，６００の先端部を構成する。
【０１１２】
円錐台部５００ａ，６００ａは、スイッチング素子５０２，６０２の後述する磁石５０２ａ，６０２ａを埋設するための凹部（採番しない）を基端部に有する。
【０１１３】
本実施形態において、支持部５０１，６０１は、レバー５００，６００を傾倒可能且つ軸線方向に移動可能に支持する。支持部５０１，６０１は、レバー５００，６００を先端側から基端側に向けて付勢する付勢部材５０３，６０３と、付勢部材５０３，６０３によって付勢されたレバー５００，６００の大径部５００ｂ，６００ｂの基端を受けるレバー受部５３０ａ，６３０ａとを備える。
【０１１４】
より具体的には、支持部５０１，６０１は、付勢部材５０３，６０３と、レバー受部５３０ａ，６３０ａを含む支持体５０４，６０４とを備える。
【０１１５】
付勢部材５０３，６０３は、線材を巻回した圧縮コイルバネである。本実施形態において、付勢部材（圧縮コイルバネ）５０３，６０３は、線材の巻回中心線の延びる方向において、一端と他端とを有し、一端から他端に向けて外径が縮径した円錐コイルバネである。円錐コイルバネ５０３，６０３の小径側（他端側）の内径は、レバー５００，６００におけるレバー本体部５００ｃ，６００ｃの外径よりも大きく、円錐コイルバネ５０３，６０３の小径側（他端側）の外径は、レバー５００，６００における大径部５００ｂ，６００ｂよりも小さい。
【０１１６】
そして、円錐コイルバネ５０３，６０３には、レバー本体部５００ｃ，６００ｃが挿入される。具体的には、レバー本体部５００ｃ，６００ｃは、円錐コイルバネ５０３，６０３に対して小径側から挿入されている。これにより、円錐コイルバネ５０３，６０３の小径側がレバー５００，６００の大径部５００ｂ，６００ｂに当接する。
【０１１７】
支持体５０４，６０４は、レバー５００，６００の大径部５００ｂ，６００ｂを受けるレバー受部５３０ａ，６３０ａと、弾性部材（円錐コイルバネ５０３，６０３）を受けるバネ受部５３１ａ，６３１ａであって、レバー受部５３０ａ，６３０ａに対して間隔をあけて配置されるバネ受部５３１ａ，６３１ａと、レバー受部５３０ａ，６３０ａとバネ受部５３１ａ，６３１ａとを連結する連結部５３１ｂ，６３１ｂとを備える。
【０１１８】
より具体的には、支持体５０４，６０４は、レバー受部５３０ａ，６３０ａを含む第一部材５３０，６３０と、バネ受部５３１ａ，６３１ａ及び連結部５３１ｂ，６３１ｂを含む第二部材５３１，６３１とを備える。
【０１１９】
第一部材５３０，６３０は、第一面と該第一面の裏側の第二面を有するプレート状のベース５３０ｂ，６３０ｂと、ベース５３０ｂ，６３０ｂの第一面上に設けられたレバー受部５３０ａ，６３０ａとを備える。ベース５３０ｂ，６３０ｂは、第一面と第二面との並ぶ方向に貫通した貫通孔５３０ｃ，６３０ｃを有する。
【０１２０】
レバー受部５３０ａ，６３０ａは、ベース５３０ｂ，６３０ｂの第一面から突出し、ベース５３０ｂ，６３０ｂに対する面直交方向から見て環状に形成される。本実施形態において、レバー受部５３０ａ，６３０ａは、ベース５３０ｂ，６３０ｂの貫通孔５３０ｃ，６３０ｃと同心である。レバー受部５３０ａ，６３０ａの内径は、レバー５００，６００の円錐台部５００ａ，６００ａの最大径よりも大きく、レバー受部５３０ａ，６３０ａの外径は、レバー５００，６００の大径部５００ｂ，６００ｂの外径よりも小さい。
【０１２１】
本実施形態において、第二部材５３１，６３１は、環状のバネ受部５３１ａ，６３１ａと、筒状の連結部５３１ｂ，６３１ｂであって、中心線方向に一端と他端とを有し、一端にバネ受部５３１ａ，６３１ａが同心で接続された連結部５３１ｂ，６３１ｂとを含む。
【０１２２】
バネ受部５３１ａ，６３１ａの内径は、レバー５００，６００のレバー本体部５００ｃ，６００ｃの外径よりも大きく、且つ円錐コイルバネ５０３，６０３の最大径よりも大きい。連結部５３１ｂ，６３１ｂの内径は、レバー５００，６００の大径部５００ｂ，６００ｂの外径及び円錐コイルバネ５０３，６０３の最大径よりも大きい。
【０１２３】
これを前提に、円錐コイルバネ５０３，６０３は、大径側をバネ受部５３１ａ，６３１ａと向き合わせた状態で、連結部５３１ｂ，６３１ｂ内に収容されている。レバー５００，６００のレバー本体部５００ｃ，６００ｃは、円錐コイルバネ５０３，６０３を収容した第二部材５３１，６３１の連結部５３１ｂ，６３１ｂ及びバネ受部５３１ａ，６３１ａに挿通され、先端部を第二部材５３１，６３１のバネ受部５３１ａ，６３１ａから外方に突出させている。この状態において、第二部材５３１，６３１の連結部５３１ｂ，６３１ｂの他端が、第一部材５３０，６３０のベース５３０ｂ，６３０ｂと連結されている。
【０１２４】
このように、第一部材５３０，６３０と第二部材５３１，６３１とが連結されることで、円錐コイルバネ５０３，６０３は、レバー５００，６００の大径部５００ｂ，６００ｂとバネ受部５３１ａ，６３１ａとに挟まれ、レバー５００，６００の大径部５００ｂ，６００ｂをレバー受部５３０ａ，６３０ａに押し付けている。すなわち、円錐コイルバネ５０３，６０３によって付勢されたレバー５００，６００の大径部５００ｂ，６００ｂは、レバー受部５３０ａ，６３０ａに受け止められた状態になっている。
【０１２５】
本実施形態においては、スイッチング素子５０２，６０２は、無接点タイプである。具体的に説明すると、スイッチング素子５０２，６０２は、磁石５０２ａ，６０２ａと、磁石５０２ａ，６０２ａと対向する磁気センサ５０２ｂ，６０２ｂであって、磁界の変動を検出する磁気センサ５０２ｂ，６０２ｂとを備える。
【０１２６】
磁石５０２ａ，６０２ａは、レバー５００，６００の基端部に取り付けられる。本実施形態において、磁石５０２ａ，６０２ａは、レバー５００，６００の円錐台部５００ａ，６００ａに設けられた凹部に埋設される。磁気センサ５０２ｂ，６０２ｂは、電気回路を含む基板上に配置される。磁気センサ５０２ｂ，６０２ｂは、第一部材５３０，６３０のベース５３０ｂ，６３０ｂの貫通孔５３０ｃ，６３０ｃ内に位置するように配置される。すなわち、磁気センサ５０２ｂ，６０２ｂを搭載した基板は、磁気センサ５０２ｂ，６０２ｂをベース５３０ｂ，６３０ｂの貫通孔５３０ｃ，６３０ｃに対応させた状態で、ベース５３０ｂ，６３０ｂの第二面上に固定される。これにより、磁石５０２ａ，６０２ａと磁気センサ５０２ｂ，６０２ｂとが対向している。
【０１２７】
第一操作部５及び第二操作部６のそれぞれにおいて、レバースイッチ５０，６０は、表示部２の表示領域２０と交差する方向（直交する方向）にレバー５００，６００の軸心を位置させている。本実施形態において、レバー５００，６００の基端部（円錐台部５００ａ，６００ａ）が前方側に配置され、レバー５００，６００の先端部（レバー本体部５００ｃ，６００ｃの先端側）が後方側に配置されている。
【０１２８】
上記構成のレバースイッチ５０，６０において、レバー５００，６００の大径部５００ｂ，６００ｂが環状のレバー受部５３０ａ，６３０ａに受け止められ、環状のレバー受部５３０ａ，６３０ａ内にレバー５００，６００の円錐台部５００ａ，６００ａが位置しているため、レバー５００，６００に対して軸線方向と交差する方向の力が作用すると、レバー５００，６００が大径部５００ｂ，６００ｂの一部とレバー受部５３０ａ，６３０ａの一部とが接触した状態になって（傾倒支点になって）、レバー５００，６００が傾倒する。これに伴い、円錐台部５００ａ，６００ａの基端に埋設された磁石５０２ａ，６０２ａと磁気センサ５０２ｂ，６０２ｂとの位置関係（距離）が変化し、この位置関係（距離）の変化に伴う磁界の変化を磁気センサ５０２ｂ，６０２ｂが検知する。そして、レバー５００，６００は、円錐コイルバネ５０３，６０３によって付勢されているため、自身に対する操作が解除されると元の姿勢に復帰する。これにより、磁石５０２ａ，６０２ａと磁気センサ５０２ｂ，６０２ｂとの位置関係も元に戻る。
【０１２９】
また、上記構成のレバースイッチ５０，６０においては、レバー５００，６００が軸線方向にも移動可能である。従って、レバー５００，６００に対して軸線方向の力が作用すると、レバー５００，６００が軸線方向に移動する。これに伴い、円錐台部５００ａ，６００ａの基端部の凹部に埋設された磁石５０２ａ，６０２ａと磁気センサ５０２ｂ，６０２ｂとの位置関係（距離）が変化し、この位置関係（距離）の変化に伴う磁界の変化を磁気センサ５０２ｂ，６０２ｂが検知する。そして、レバー５００，６００は、円錐コイルバネ５０３，６０３によって付勢されているため、自身に対する操作が解除されると元の姿勢に復帰する。従って、この場合においても、磁石５０２ａ，６０２ａと磁気センサ５０２ｂ，６０２ｂとの位置関係も元に戻る。
【０１３０】
操作体５１，６１は、レバースイッチ５０，６０を収容可能に中空状に形成される。操作体５１，６１は、遊技者側に配置される前方部と、該前方部とは反対側の後方部とを有する。
【０１３１】
本実施形態において、操作体５１，６１は、外観球状になっている。具体的には、操作体５１，６１は、遊技者側に配置される前方部である第一分割殻体５１０，６１０であって、外観半球状の第一分割殻体５１０，６１０と、前方部とは反対側の後方部である第二分割殻体５１１，６１１であって、外観半球状の第二分割殻体５１１，６１１であって、第一分割殻体５１０，６１０に連結されることで、該第一分割殻体５１０，６１０とともに当該操作体５１，６１を外観球状にする第二分割殻体５１１，６１１とを備える。
【０１３２】
第一分割殻体５１０，６１０は、椀状に形成される。すなわち、第一分割殻体５１０，６１０は、円形状の開口部を画定する環状端部を有し、環状端部に包囲される領域が中央に向かうに連れて、開口部の中心線の延びる方向の一方側に膨出している。これにより、環状端部に包囲される中央部が最も突出した頂部を構成する。
【０１３３】
第二分割殻体５１１，６１１は、椀状に形成される。すなわち、第二分割殻体５１１，６１１は、円形状の開口部を画定する環状端部を有し、環状端部に包囲される領域が中央に向かうに連れて、開口部の中心線の延びる方向の一方側に膨出している。これにより、環状端部に包囲される中央部が最も突出した頂部を構成する。第二分割殻体５１１，６１１は、頂部の内面側にレバー本体部５００ｃ，６００ｃの先端が連結される。第二分割殻体５１１，６１１は、レバー本体部５００ｃ，６００ｃとの連結部分の近傍に形成された少なくとも一つの開口（図示しない）を有する。本実施形態において、第二分割殻体５１１，６１１は、レバー本体部５００ｃ，６００ｃとの連結部分の周囲に複数の開口（図示しない）を有する。
【０１３４】
第一分割殻体５１０，６１０及び第二分割殻体５１１，６１１は、レバースイッチ５０，６０を内部に配置した状態で、互いの環状端部同士を向き合わせて連結される。これにより、第一分割殻体５１０，６１０及び第二分割殻体５１１，６１１が一体となって外観球状の操作体５１，６１を構成する。本実施形態において、第一分割殻体５１０，６１０及び第二分割殻体５１１，６１１が一体となって構成される操作体５１，６１は、内部に配置されたレバースイッチ５０，６０のレバー５００，６００の傾倒支点（大径部５００ｂ，６００ｂとレバー受部５３０ａ，６３０ａとの接触位置）が当該操作体５１，６１の内部空間の中央部に位置するようにサイズ設定されている。
【０１３５】
スイッチ支持体５２，６２は、フレーム７の第二フレーム７１に連結される第一連結部５２０，６２０と、レバースイッチ５０，６０の支持体５０４，６０４に連結される第二連結部５２１，６２１と、第一連結部５２０，６２０と第二連結部５２１，６２１とを繋ぐ接続部５２２，６２２とを備える。
【０１３６】
スイッチ支持体５２，６２は、操作体５１，６１（第二分割殻体５１１，６１１）に設けられた開口（レバー本体部５００ｃ，６００ｃの連結部分の近傍に設けられた開口）内に接続部５２２，６２２を位置させる。この状態において、操作体５１，６１の外部にあるフレーム７の第二フレーム７１に第一連結部５２０，６２０が連結されるとともに、操作体５１，６１の内部にあるレバースイッチ５０，６０の支持体５０４，６０４に第二連結部５２１，６２１が連結されている。本実施形態において、操作体５１，６１（第二分割殻体５１１，６１１）に複数の開口が設けられているため、各開口にスイッチ支持体５２，６２が挿通され、各スイッチ支持体５２，６２の第一連結部５２０，６２０が操作体５１，６１の外部にあるフレーム７の第二フレーム７１に連結されるとともに、各スイッチ支持体５２，６２の第二連結部５２１，６２１が操作体５１，６１の内部にあるレバースイッチ５０，６０の支持体５０４，６０４に連結されている。
【０１３７】
上述の如く、第一操作部５は、第一フレーム７０の第一操作配置部７０３に配置され、第二操作部６は、第一フレーム７０の第二操作配置部７０４に配置される。この状態において、第一操作部５の操作体５１，６１の一部（本実施形態においては、約半分）が第一操作配置部７０３に形成された開口７０６から露出（突出）し、第二操作部６の操作体５１，６１の一部（本実施形態においては、約半分）が第二操作配置部７０４に形成された開口７０７から露出（突出）する。
【０１３８】
そして、第一操作部５及び第二操作部６のいずれにおいても、レバースイッチ５０，６０のレバー５００，６００の傾倒支点が、操作体５１，６１の内部の中央部にあるため、操作部５，６は自身の中央部を中心にして所定の範囲で回転する。また、レバースイッチ５０，６０のレバー５００，６００が軸芯方向に移動可能であるため、操作体５１，６１はレバー５００，６００の軸心方向に移動する。従って、操作体５１，６１に対して任意の方向から力が作用すると、レバースイッチ５０，６０のスイッチング素子５０２，６０２を構成する磁石５０２ａ，６０２ａと磁気センサ５０２ｂ，６０２ｂとの位置関係（距離）が変化し、磁気センサ５０２ｂ，６０２ｂが磁界の変化を検知する。これに伴い、磁気センサ５０２ｂ，６０２ｂを搭載した基板が磁界の変化に対応した電気信号を制御部に送る。
【０１３９】
本実施形態においては、第一操作部５は、スタッフを呼ぶためのものであるため、第一操作部５の磁気センサ５０２ｂを搭載した基板は、制御部に第一照明部３及び第二照明部４の少なくとも何れか一方を、スタッフを呼ぶ態様で点灯させるための信号を送る。これに対し、第二操作部６は、表示部２の表示領域２０における表示態様を変更するためのものであるため、第二操作部６の磁気センサ６０２ｂを搭載した基板は、制御部に表示部２の表示領域２０における表示態様を変更させるための信号を送る。
【０１４０】
以上のように、本実施形態に係る呼出装置１は、遊技に関する情報を表示する平面状の表示領域２０を含む表示部２と、表示領域２０に隣接して設けられる照明部（第二照明部）４とを備え、照明部（第二照明部）４は、表示領域２０と直交する前後方向において、表示領域２０よりも奥まった位置に配置される発光部４０であって、前後方向と直交する方向において表示領域２０と並ぶ発光部４０と、表示領域２０と発光部４０との間に配置される壁部４１であって、前後方向と直交する方向において外方に向く反射面４１０を有する壁部４１とを備え、反射面４１０は、表示部２の外縁に沿った前端４１１と、表示領域２０と直交する方向において、表示領域２０よりも奥まった位置にある後端４１２とを含む。
【０１４１】
上記構成によれば、照明部（第二照明部）４の発光部４０が発光すると、発光部４０を基点に光が広がる。すなわち、発光部４０からの光は前方側だけでなく前後方向と直交する方向にも進む。照明部（第二照明部）４は、表示領域２０と発光部４０との間に配置された壁部４１であって、前後方向と直交する方向において外方に向く反射面４１０を有する壁部４１とを備えるため、反射面４１０に発光した発光部４０が映るとともに、該発光部４０からの光が反射面４１０で反射される。これにより、反射面４１０は、発光部４０と同様に光ったように見える。
【０１４２】
反射面４１０は、表示部２の外縁に沿った前端４１１と、表示領域２０と直交する方向において、表示領域２０よりも奥まった位置にある後端４１２とを含むため、前後方向に広がる面が発光したかのように見える。これにより、表示領域２０と隣接して前後方向と直交する方向に向く反射面４１０の存在が浮き立つ。その結果、反射面４１０の前端４１１（表示領域２０のエッジ）が明確になり、その前端４１１と同列にある表示領域２０の存在も明確化される。
【０１４３】
特に、照明部（第二照明部）４は、表示部２おける前後方向と直交する横方向の両側のそれぞれに設けられる。
【０１４４】
上記構成によれば、前後方向と直交する横方向において、表示領域２０の両側の何れから見ても反射面４１０が浮き立って見える。その結果、反射面４１０の前端４１１が（表示領域２０の横方向にある一対のエッジ）明確になり、その前端４１１と同列にある表示領域２０の存在が明確化される。
【０１４５】
また、本実施形態において、発光部４０は、光源（第二光源）４００と、光源を覆う光学部材４０１であって、光源（第二光源）４００からの光を外方に向けて拡散させる光学部材４０１とを備え、光学部材４０１は、前後方向において後方側に位置する基部４０１ａ，４０１ｂ（第一基部４０１ａ、第二基部４０１ｂ）と前方側に位置する頂部とを有し、光学部材４０１の頂部は、前後方向と直交する方向から見て反射面４１０の前端４１１と後端４１２との間に位置している。
【０１４６】
上記構成によれば、前後方向と直交する方向から見ると、光学部材４０１の頂部から反射面４１０が前方にはみ出て見える。従って、反射面４１０が発光部４０と重なってしまう（隠蔽される）ことがなく、発光部４０の光を反射させた反射面４１０が確実に視認される。従って、反射面４１０の前端４１１と同列にある表示領域２０の存在がより明確化される。
【０１４７】
さらに、本実施形態において、反射面４１０の後端４１２は、前後方向と直交する方向から見て光学部材４０１の基部４０１ａ，４０１ｂ（第一基部４０１ａ、第二基部４０１ｂ）と並んで同一又は略同一位置にある。
【０１４８】
上記構成によれば、反射面４１０の後端４１２が前後方向と直交する方向から見て光学部材４０１の基部４０１ａ，４０１ｂ（第一基部４０１ａ、第二基部４０１ｂ）と並んで同一又は略同一位置にあるため、表示領域２０に対して僅かに斜め横方向から見ても、反射面４１０が前後方向に広がった面であることが把握可能となる。従って、遊技者の呼出装置１を見る角度が小さい場合であっても、反射面４１０の前端４１１と同列にある表示領域２０の存在がより明確化される。
【０１４９】
特に、反射面４１０の後端４１２は、前後方向と直交する方向において、当該反射面４１０の前端４１１よりも表示領域２０側に位置している。
【０１５０】
上記構成によれば、反射面４１０の後端４１２が前端４１１よりも表示領域２０側に位置しているため、反射面４１０によって反射される光が表示領域２０側に進むことが阻止される。すなわち、表示領域２０に表示される画像に照明部（第二照明部）４の光が重なることがない。これにより、照明部（第二照明部）４の光が表示領域２０の存在を希釈することが防止される。
【０１５１】
また、反射面４１０は、前端４１１と後端４１２との間が表示領域２０側にある凹状の湾曲面である。
【０１５２】
上記構成によれば、照明部（第二照明部）４の反射面４１０は、湾曲面であるため、反射される光が前後方向と直交する方向だけでなく、斜め前方にも反射される。これにより、反射面４１０の存在が明示される。その結果、反射面４１０の前端４１１（エッジ）がより明確になり、それと同列にある表示領域２０の存在もより明確化される。
【０１５３】
なお、本発明は、上記実施形態に限定されるものではなく、本発明の要旨を逸脱しない範囲で、適宜変更を加え得ることは勿論である。
【０１５４】
上記実施形態において、表示部２の表示領域２０が液晶パネルで構成されたが、これに限定されない。例えば、表示部２の表示領域２０は、有機ＥＬパネルやＣＲＴであってもよい。また、表示部２の表示領域２０は、所定数のセグメント素子を含む表示装置（例えば、七つのセグメント素子を一単位として、その単位を複数含む表示装置）、複数のＬＥＤ素子がマトリックス状に配置されたＬＥＤ表示モジュール等で構成されてもよい。
【０１５５】
上記実施形態において、呼出装置１は、照明部３，４として、表示部２の上方に配置される第一照明部３と、表示部２の両側に配置される一対の第二照明部４とを備えたが、これに限定されない。例えば、呼出装置１は、第二照明部４のみを備えてもよい。
【０１５６】
上記実施形態において、照明部３，４（第一照明部３、第二照明部４）がカバー体（第一カバー体３２、第二カバー体４２）を備えたが、これに限定されない。例えば、光学部材４０１（装飾用光学部材３１）を直接露出させてもよい。
（装飾用光学部材３１）
【０１５７】
上記実施形態において、第二照明部４の反射面４１０が、湾曲形状に形成されたが、これに限定されない。反射面４１０は、平面状に形成されてもよい。
【０１５８】
上記実施形態において、第二照明部４の反射面４１０の後端４１２が、該反射面４１０の前端４１１よりも表示部２の中央側に配置されたが、これに限定されない。例えば、反射面４１０の前端４１１及び後端４１２は、前後方向で同列にならんでもよいし、反射面４１０の前端４１１が、該反射面４１０の後端４１２よりも表示部２の中央側に配置されてもよい。なお、反射面４１０の前端４１１が、該反射面４１０の後端４１２よりも表示部２の中央側に配置されても、表示部２を強調できるが、反射面４１０が前方側から見える態様となるため、第二照明部４の反射面４１０の後端４１２が該反射面４１０の前端４１１よりも表示部２の中央側に配置されたときや、反射面４１０の前端４１１及び後端４１２は、前後方向で同列に並んだときよりも、表示部２の強調性が弱まる傾向にある。従って、前方から見た場合に反射面４１０の後端４１２が前端４１１で隠れてしまう態様にすることが好ましい。
【０１５９】
上記実施形態において、表示領域２０の横方向の両側に一対の第二照明部４が設けられたが、これに限定されない。例えば、遊技場の壁際に設置される呼出装置１に対しては、表示領域２０の横方向の一方側のみに第二照明部４が設けられてもよい。
【０１６０】
上記実施形態において、呼出装置１が遊技機の上方に配置されることを前提に、一対の第二照明部４，４が表示領域２０の横方向の両側に設けられたが、例えば、呼出装置１が遊技機と横並びに設定される場合、反射面４１０を有する壁部４１を備えた第二照明部４が第一照明部３に代えて設けられてもよい。
【０１６１】
上記実施形態において、第二照明部４における第二光源４００として、発光色の異なる複数のＬＥＤチップを一群としたものを採用したが、これに限定されない。例えば、第二照明部４における第二光源４００は、単色で発光する単一のＬＥＤ（ＬＥＤチップ）であってもよい。
【０１６２】
上記実施形態において、第二照明部４における発光部４０の第二光源４００にＬＥＤが採用されたが、これに限定されない。例えば、第二照明部４における第二光源４００は、電球が蛍光灯であってもよい。
【符号の説明】
【０１６３】
１…呼出装置、２…表示部、３…第一照明部（照明部）、４…第二照明部（照明部）、５…第一操作部（操作部）、６…第二操作部（操作部）、７…フレーム、２０…表示領域、３０…第一光源（光源：ＬＥＤ）、３１…装飾用光学部材、３２…第一カバー体（カバー体）、４０…発光部、４１…壁部、４２…第二カバー体、５０，６０…レバースイッチ、５１，６１…操作体、５２，６２…スイッチ支持体、７０…第一フレーム、７１…第二フレーム、３１０…導光部、３１１…主導光部、３１１ａ…入光部、３１１ｂ…先端、３１２…分岐導光部、３１２ａ…出射部、３１２ｂ…凸条、３１２ｃ…凹条、３１３…第一孔、３１３ａ，…平面部、３１４…第二孔、３１４ａ，…平面部、４００…第二光源（光源）、４０１…光学部材、４０１ａ…第一基部（基部）、４０１ｂ…第二基部（基部）、４０１ｃ…溝、４１０…反射面、４１１…前端、４１２…後端、５００，６００…レバー、５００ａ，６００ａ…円錐台部、５００ｂ，６００ｂ…大径部、５００ｃ，６００ｃ…レバー本体部、５０１，６０１…支持部、５０２，６０２…スイッチング素子、５０２ａ，６０２ａ…磁石、５０２ｂ，６０２ｂ…磁気センサ、５０３，６０３……円錐コイルバネ（圧縮コイルバネ：付勢部材）、５０４，６０４…支持体、５１０，６１０…第一分割殻体、５１１，６１１…第二分割殻体、５２０，６２０…第一連結部、５２１，６２１…第二連結部、５２２，６２２…接続部、５３０，６３０…第一部材、５３０ａ，６３０ａ…レバー受部、５３０ｂ，６３０ｂ…ベース、５３０ｃ，６３０ｃ…貫通孔、５３１，６３１…第二部材、５３１ａ，６３１ａ…バネ受部、５３１ｂ，６３１ｂ…連結部、７００…表示配置部、７０１…第一照明配置部（照明配置部）、７０２…第二照明配置部（照明配置部）、７０３…第一操作配置部（操作配置部）、７０４…第二操作配置部（操作配置部）、７０５…枠部、７０５ａ…横桟、７０５ｂ…縦桟、７０６，７０７…開口、Ｓ１，Ｓ２…第一外面（外面）、Ｓ３，Ｓ４…第二外面（外面）、Ｓ５，Ｓ６…第三外面（外面）、Ｓ７，Ｓ８…第四外面（外面）
【図１】
0006773310.tif 000002
【図２】
0006773310.tif 000003
【図３】
0006773310.tif 000004
【図４】
0006773310.tif 000005
【図５】
0006773310.tif 000006
【図６】
0006773310.tif 000007
【図７】
0006773310.tif 000008
【図８】
0006773310.tif 000009
【図９】
0006773310.tif 000010
【図１０】
0006773310.tif 000011
【図１１】
0006773310.tif 000012
【図１２】
0006773310.tif 000013
【図１３】
0006773310.tif 000014
【図１４】
0006773310.tif 000015
【図１５】
0006773310.tif 000016
【図１６】
0006773310.tif 000017
【図１７】
0006773310.tif 000018